(57)【特許請求の範囲】
【請求項１】
クイックレスポンスＱＲコード（登録商標）（１）を対象要素上に複製して、三次元暗号化対象物（３；３’）を得る手順であって、
−前記ＱＲコード（登録商標）（１）の書き込みの最初のステップであって、所望する内容を前記ＱＲコード（登録商標）（１）を表す二次元マトリックスに暗号化するように適応されるステップを備え、
前記手順はさらに、前記最初の書き込みステップの後に、少なくとも以下の、
−前記ＱＲコード（登録商標）（１）を三次元空間（２）に実装し、前記対象要素を収容するように適応されるステップ、
−前記ＱＲコード（登録商標）（１）を前記対象要素上に複製し、前記暗号化対象物（３；３’）を得るステップ、
−前記ＱＲコード（登録商標）（１）は、三次元空間（２）において読み取り可能な、正しい位置および角度からスキャナによって読み取られるとき、前記暗号化対象物（３；３’）を読み取り、前記ＱＲコード（登録商標）（１）内に暗号化された前記所望する内容を復号するステップ、
を備え、
さらに、前記ＱＲコード（登録商標）（１）を前記対象要素に複製する前記ステップは、少なくとも以下の、
−前記ＱＲコード（登録商標）（１）の規定の黒いコード（Ｎ）または白いコード（Ｂ）部分の置換として、適切な三次元要素（Ｅ１、Ｅ２、．．．ＥＮ）の選択および配置を連続して行うことによって、前記ＱＲコード（登録商標）（１）を前記三次元空間（２）に再構築および／または再処理するステップであって、
前記三次元要素（Ｅ１、Ｅ２、．．．ＥＮ）は、置換される前記規定の黒いコード（Ｎ）または白いコード（Ｂ）部分と適合して復号されるような形状、寸法および色特徴を有し、前記暗号化対象物（３；３’）の前記復号は前記ＱＲコード（登録商標）（１）に暗号化された内容と同一の内容を提供するステップ、
−前記三次元要素（Ｅ１、Ｅ２、．．．ＥＮ）の選択および配置の各連続行為の終わりに、前記黒いコード（Ｎ）または白いコード（Ｂ）部分を除去するステップであって、前記三次元要素（Ｅ１、Ｅ２、．．．ＥＮ）が前記所望する内容を復号するのに適切であるかどうかを認識する適切性評価を行い、前記適切性評価は、各前記連続行為中に操作されるステップ、
−前記対象要素からなる前記暗号化対象物（３；３’）を得て、前記対象要素上に前記ＱＲコード（登録商標）（１）が前記三次元空間（２）に再構築および／または再処理されるステップ、
を備えることを特徴とする、手順。
【請求項２】
請求項１に記載のＱＲコード（登録商標）（１）を複製する手順であって、
前記ＱＲコード（登録商標）（１）を前記三次元空間（２）に実装する前記ステップは、少なくとも以下の、
−前記三次元空間（２）を画面上に表示するステップ、
−前記ＱＲコード（登録商標）（１）の画像を前記三次元空間（２）の前記表示上に配置するステップ、
−前記白いコード（Ｂ）部分を前記ＱＲコード（登録商標）（１）の前記画像から除去するステップ、
を備えることを特徴とする、手順。
【請求項３】
請求項２に記載のＱＲコード（登録商標）（１）を複製する手順であって、
前記ＱＲコード（登録商標）（１）を前記三次元空間（２）に実装する前記ステップはさらに、以下の、
前記黒いコード（Ｎ）部分の基板となる前記三次元空間（２）の区域をより可視化するように、前記ＱＲコード（登録商標）（１）の前記黒いコード（Ｎ）部分の透明度を修正するステップ、
を備えることを特徴とする、手順。
【請求項４】
請求項１〜３のいずれか一項に記載のＱＲコード（登録商標）（１）を複製する手順であって、
前記ＱＲコード（登録商標）（１）を前記対象要素に複製する前記ステップは、少なくとも以下の、
−前記ＱＲコード（登録商標）（１）の黒いコード（Ｎ）または白いコード（Ｂ）部分を、前記部分の置換として適切な三次元要素（Ｅ１、Ｅ２、．．．ＥＮ）の選択および配置の前記連続行為の前に、修正および／または部分的に除去するステップであって、
前記適切性評価によって、前記暗号化対象物（３；３’）の復号は前記ＱＲコード（登録商標）（１）に暗号化された内容と同一の内容を提供することを継続的にチェックし、前記修正および／または部分的な除去はさらに、読み取りシステムの誤り許容閾値の範囲内にあるステップ、
を備えることを特徴とする、手順。
【請求項５】
請求項１〜４のいずれか一項に記載のＱＲコード（登録商標）（１）を複製する手順であって、
前記暗号化対象物（３；３’）を得るために、適切な三次元要素（Ｅ１、Ｅ２、．．．ＥＮ）を前記ＱＲコード（登録商標）（１）の規定の黒いコード（Ｎ）または白いコード（Ｂ）部分の置換として選択および配置する前記連続行為であって、前記黒いコード（Ｎ）または白いコード（Ｂ）部分の完全な置換まで継続する前記連続行為を特徴とする、手順。
【請求項６】
請求項１〜４のいずれか一項に記載のＱＲコード（登録商標）（１）を複製する手順であって、
前記暗号化対象物（３；３’）を得るための前記ＱＲコード（登録商標）（１）の規定の黒いコード（Ｎ）または白いコード（Ｂ）部分の置換が部分的であり、適切な三次元要素（Ｅ１、Ｅ２、．．．ＥＮ）を規定の部分の置換として選択および配置する前記連続行為は、１または複数の前記行為の後に中断する、
ことを特徴とする、手順。
【請求項７】
請求項１〜６のいずれか一項に記載のＱＲコード（登録商標）（１）を複製する手順であって、
前記得られた暗号化対象物（３；３’）は最終暗号化対象物（３）であり、直接復号のための読み取りを受けることができることを特徴とする、手順。
【請求項８】
請求項１〜６のいずれか一項に記載のＱＲコード（登録商標）（１）を複製する手順であって、
前記得られた暗号化対象物（３；３’）は中間暗号化対象物（３’）であり、最終暗号化対象物（３）を得るためのテンプレートとして機能するように適応され、前記最終暗号化対象物（３）は復号のための読み取りを受けることを特徴とする、手順。
【請求項９】
請求項２または３に記載のＱＲコード（登録商標）（１）を複製する手順であって、
前記暗号化対象物（３；３’）の実現は、前記対象要素を収容する前記三次元空間（２）に前記ＱＲコード（登録商標）（１）を実装する前記ステップの直後に行われ、適切な三次元要素（Ｅ１、Ｅ２、．．．ＥＮ）を前記ＱＲコード（登録商標）（１）の規定の黒いコード（Ｎ）または白いコード（Ｂ）部分の置換として選択および配置する前記連続行為をせず、前記暗号化対象物（３；３’）は中間暗号化対象物（３’）であり、最終暗号化対象物（３）を得るためのテンプレートとして機能するように適応され、前記最終暗号化対象物（３）は復号のための読み取りを受けることを特徴とする、手順。
【請求項１０】
請求項７〜９のいずれか一項に記載のＱＲコード（登録商標）（１）を複製する手順であって、
得られた前記暗号化対象物（３；３’）を読み取る前記ステップは、少なくとも以下の、
−前記暗号化対象物（３；３’）を専用スキャン手段によって読み取らせ、前記スキャン手段は、前記ＱＲコード（登録商標）（１）を前記三次元空間（２）で実装するステップ中に用いた適切なパラメータにしたがって、正しく読み取り可能な位置に配置されなければならないステップを備える、手順。
【請求項１１】
請求項１に記載のＱＲコード（登録商標）（１）を複製する手順、を実行するように適応される機器であって、
−前記ＱＲコード（登録商標）（１）を書き込むためのソフトウェアを実行する装置であって、所望する内容を、前記ＱＲコード（登録商標）（１）を表す二次元マトリックスに暗号化するように適応されるソフトウェアを実行する装置、
−前記暗号化対象物（３；３’）を読み取り、前記所望する内容を復号するように適応される装置であって、ＱＲコード（登録商標）スキャン用ソフトウェアを実行する装置、
を備え、
前記機器はさらに、
−三次元空間（２）の映像写真ショットまたは仮想作品のためのアナログおよび／またはデジタル取得装置、
−前記ＱＲコード（登録商標）（１）および前記三次元空間（２）を画面上で表示するためのアナログおよび／またはデジタルディスプレイ装置、
−前記暗号化対象物（３；３’）を得るために、前記ＱＲコード（登録商標）（１）を前記三次元空間（２）で再構築および／または再処理によって複製の前記連続行為をするためのマルチレベル画像処理ソフトウェアを実行する装置、
−複製の前記連続行為中に、前記暗号化対象物（３；３’）を読み取るためのソフトウェアを実行する装置であって、前記ＱＲコード（登録商標）（１）の前記黒いコード（Ｎ）または白いコード（Ｂ）部分の置換として配置される前記三次元要素（Ｅ１、Ｅ２、．．．ＥＮ）の前記適切性評価を行うことを目的とする装置、
を備えることを特徴とする、機器。
【請求項１２】
請求項１１に記載の前記ＱＲコード（登録商標）（１）を複製する手順を実行する機器であって、
前記暗号化対象物（３；３’）を読み取るためのソフトウェアを実行する装置は、ＱＲコード（登録商標）（１）スキャン用ソフトウェアであることを特徴とする、機器。
【請求項１３】
請求項１１または１２に記載の前記ＱＲコード（登録商標）（１）を複製する手順を実行する機器であって、
−前記ＱＲコード（登録商標）（１）の黒いコード（Ｎ）または白いコード（Ｂ）部分の置換として配置される適切な前記三次元要素（Ｅ１、Ｅ２、．．．ＥＮ）を選択および／または管理し、および／または作成するためのソフトウェアを実行する装置をさらに備えることを特徴とする、機器。
【請求項１４】
請求項１３に記載の前記ＱＲコード（登録商標）（１）を複製する手順を実行する機器であって、
前記三次元要素（Ｅ１、Ｅ２、．．．ＥＮ）を選択および／または管理し、および／または作成するためのソフトウェアを実行する装置は、自動ロボット手段に関連し、前記適切な三次元要素（Ｅ１、Ｅ２、．．．ＥＮ）を選択し、正確に配置することを特徴とする、機器。
【請求項１５】
請求項１１〜１４のいずれか一項に記載の前記ＱＲコード（登録商標）（１）を複製する手順を実行する機器であって、
−前記暗号化対象物（３；３’）が中間暗号化対象物（３’）であり、復号のための読み取りを受ける最終暗号化対象物（３）を得るために、テンプレートとして機能するように適応される場合に、前記暗号化対象物（３；３’）の素材を実現するための印刷および／または三次元装置または試作品装置をさらに備えることを特徴とする、機器。
【請求項１６】
暗号化対象物（３；３’）であって、
三次元対象要素からなり、ＱＲコード（登録商標）（１）の規定の黒いコード（Ｎ）または白いコード（Ｂ）部分の置換として、適切な三次元要素（Ｅ１、Ｅ２、．．．ＥＮ）の選択および配置を連続して行う連続行為によって、前記三次元対象要素の上には三次元空間（２）においてＱＲコード（登録商標）（１）が再構築および／または再処理され、
前記三次元要素（Ｅ１、Ｅ２、．．．ＥＮ）は仮想要素および現実の物理的要素から選択され、
前記三次元要素（Ｅ１、Ｅ２、．．．ＥＮ）は適切であると、各前記連続行為中に継続して行われる、前記三次元要素（Ｅ１、Ｅ２、．．．ＥＮ）が前記ＱＲコード（登録商標）（１）に暗号化された内容と同一の内容を復号するのに適切であるかどうかを認識する適切性評価によって認識され、
前記暗号化対象物（３；３’）は最終暗号化対象物（３）であり、前記ＱＲコード（登録商標）（１）に暗号化された内容と同じ内容を復号するために、直接読み取りを受けることができることを特徴とする、対象物。
【請求項１７】
暗号化対象物（３；３’）であって、
三次元対象要素からなり、ＱＲコード（登録商標）（１）の規定の黒いコード（Ｎ）または白いコード（Ｂ）部分の置換として、適切な三次元要素（Ｅ１、Ｅ２、．．．ＥＮ）の選択および配置を連続して行う連続行為によって、前記三次元対象要素の上には三次元空間（２）においてＱＲコード（登録商標）（１）が再構築および／または再処理され、
前記三次元要素（Ｅ１、Ｅ２、．．．ＥＮ）は仮想要素および現実の物理的要素から選択され、
前記三次元要素（Ｅ１、Ｅ２、．．．ＥＮ）は適切であると、各前記連続行為中に継続して行われる、前記三次元要素（Ｅ１、Ｅ２、．．．ＥＮ）が前記ＱＲコード（登録商標）（１）に暗号化された内容と同一の内容を復号するのに適切であるかどうかを認識する適切性評価によって認識され、
前記暗号化対象物（３；３’）は中間暗号化対象物（３’）であり、最終暗号化対象物（３）を得るためのテンプレートとして機能するように適応され、前記ＱＲコード（登録商標）（１）に暗号化された内容と同じ内容を復号するために、前記最終暗号化対象物（３）は読み取りを受けることを特徴とする、対象物。
【発明の詳細な説明】
【技術分野】
【０００１】
本発明の目的はＱＲコード（登録商標）を三次元の対象要素上に複製するためのシステムである。
【背景技術】
【０００２】
本発明は「クイックレスポンス」コード（以下「ＱＲコード（登録商標）」と称する）を使用する部門の範疇にあり、ＱＲコード（登録商標）は、標準的なバーコード（または類似する識別システム）に比べて使用する際に自由度が高く、情報データの格納容量も大きいため、物流、特に、販売促進の分野で長い間使用されてきた。
【０００３】
要するに、ＱＲコード（登録商標）は正方形で背景が白い二次元マトリックスからなり、様々な形状および位置の一連の黒いモジュールが配置されている。マトリックスの背景の黒いモジュールおよび白い空間の連続は一意の特徴コードを画定する。特徴コードには規定の内容が対応し、適切な読み取り装置によってコードが解読されるときはいつでも開示可能である。
【０００４】
より具体的には、一意の格納された情報は各ＱＲコード（登録商標）に対応する。各ＱＲコード（登録商標）は、テキストメッセージ、英数字の列、画像からマルチメディアおよびウェブサイトのリンクまで、任意の通信および情報の内容を実行可能である。
【０００５】
７、０００を超える数字および４、０００を超える英数字が単一のＱＲコード（登録商標）に含有され得ることを考慮すると、ＱＲコード（登録商標）内に含有され、暗号化される情報に関して、ＱＲコード（登録商標）が高度にカスタマイズ可能な手段であることが明らかである。ＱＲコード（登録商標）の操作および基礎的な特徴をさらに完全に説明するために、特許文献１および、株式会社デンソーウェーブが所持しこれに対応する特許文献２を参照すべきである。これらの文献は公開され、特許権が行使されずに技術を使用可能であるため、長い間国際的な標準になっている（当初はアジア諸国で広まり、最近になって世界のその他の地域へも普及した）。
【０００６】
本発明を迅速に理解するためには、基本となるＱＲコード（登録商標）およびその操作機構の特性の一部のみを本明細書で特定すれば十分である。
【０００７】
ＱＲコード（登録商標）の書き込みおよび読み取りステップは、所望する情報を二次元マトリックスに暗号化可能なフリーソフトウェアおよび装置によって容易に実施されることができる。二次元マトリックスは次に、専用ソフトウェア（いわゆる「ＱＲリーダ」）によって復号されることができる。専用ソフトウェアは典型的には、コードを認識し、読み取るように適応されるスキャナに代表される。スキャン用ソフトウェアは、広範に普及しているスマートフォンおよび携帯電話に最初から搭載されているか、またはインストール可能である。
【０００８】
さらに、誤り検出および訂正システム（正確には、いわゆるリード・ソロモンシステム）が各ＱＲコード（登録商標）に実装される。これによって、コードリーダは、暗号化情報の約３０％までの、誤ったＱＲコード（登録商標）部分または損失しているＱＲコード（登録商標）部分を訂正し、回復する能力を得る。ＱＲコード（登録商標）マトリックスが過失または故意によって部分的に損傷または損失した場合に、これは非常に重要である。ＱＲコード（登録商標）を故意に損傷または損失する場合は、主に審美的理由からである。その目的はオリジナルのＱＲコード（登録商標）に巧妙に干渉して、マーケティングおよび／または芸術的必要性に適応させることである。
【０００９】
ＱＲコード（登録商標）に格納可能な内容を無限に暗号化可能でありかつ誤り訂正システムによって部分的に外側を修正可能であるにもかかわらず、ＱＲコード（登録商標）は審美的魅力および操作に関して一定の厳密性を有する。
【００１０】
実際に、ＱＲコード（登録商標）は、常にいかなる場合においても、白黒の二次元マトリックスからなる。二次元マトリックスは、（角に配置される３つの大きな位置決め用正方形を始め）反復的および概略的な幾何学的要素から構成され、明らかに審美的魅力には乏しい。そのため、販売促進、情報および商業部門で用いるには、時間の経過とともに興味を失われる原因となり得る。
【００１１】
最近では、標準の方法とは微妙に異なる方法を用いるＱＲコード（登録商標）の例もいくつかあるが、その結果は実質的に当該分野で既知の結果とあまり変わらない。
【００１２】
たとえば、特許文献３は既知であり、含有される情報の正確な復号に影響せずに、二次元要素を標準的なＱＲコード（登録商標）に挿入する方法を記載している。読み取りソフトウェアがまったく影響を受けないように、このような要素（典型的には言葉または宣伝メッセージからなる）は、ＱＲコード（登録商標）の交互の黒いモジュールと白い空間からなるコード部分に重なる。
【００１３】
一方、別の先行文献では、特許文献４は、ＱＲコード（登録商標）を記載している。その幾何学要素（交互の黒いモジュールおよび白い空間で表す）は複数の物理的に有形の要素からなり、異なる高さを取ることができ、または平面に対して空間配向を取ることができる。
【００１４】
より具体的には、このような文献は、ＱＲコード（登録商標）を三次元の形状で表示するように適応される機器および関連するシステムに言及する。三次元は二次元コードの一連の部分を機械的な方法によって単一方向に上昇させること（または配向）によって生成される。結論として、最終ＱＲコード（登録商標）は依然としてはっきりと本来の二次元ＱＲコード（登録商標）に帰属させられる（その形状、寸法および色はまったく影響を受けない）が、さらにマーケティングまたは娯楽的な目的で用いられてもよい空間的な特徴が加わる。
【００１５】
類似する例として、販売促進の目的のみを持って、日産自動車の車であるジュークＮｉｓｍｏの広告に見られるように、ＱＲコード（登録商標）の黒いモジュールおよび白い空間を用いてある種の市街地の道路図を作成し、その中で架空の車が動いているようにしたものもある。
【００１６】
つまり、前記黒いコードモジュールを巧妙に上昇させて、建造物の特徴を模倣する一方、白い空間は道路を表している。さらに、都市の特徴ある要素、たとえば、街灯、木、噴水などを本来のＱＲコード（登録商標）にしたがって、本来の暗号可能性を変化しないようにさらにコード内に追加する。この例は、言及した販売促進キャンペーンの目的（つまり、宣伝する車のために一種の都会の旅を得ること）に沿って、三次元のレイアウトを加えるために、二次元ＱＲコード（登録商標）を操作する例である。ただし、最終的な結果は明らかに本来のＱＲコード（登録商標）に適合し、読み取りソフトウェアはＱＲコード（登録商標）を、標準的なＱＲコード（登録商標）の典型的および概略的に幾何学な要素からなる二次元マトリックスとしてスキャンし、そのコーディングを得ている。
【先行技術文献】
【特許文献】
【００１７】
【特許文献１】特願平０６−０４２５８７号
【特許文献２】欧州特許出願第０６７２９９４号
【特許文献３】米国特許出願第２００５／２７４８０４号
【特許文献４】米国特許第８３０８０６７号明細書
【発明の概要】
【００１８】
本発明の目的は、ＱＲコード（登録商標）を複製する手順を提供し、その結果として、同一のＱＲコード（登録商標）の二次元の限界および審美的な物理的限界を克服可能な暗号化された対象要素を得ることによって、この種の欠点を取り除くことである。
【００１９】
本発明の別の目的は、前述の手順を実行するための機器を提供することである。それによって、複数の物理的または仮想の三次元対象要素上で手順を実装できる。
【００２０】
前述の目的および別の目的は以下で明白に示され、請求項１によるＱＲコード（登録商標）を対象要素上に複製するための手順、および請求項１２による手順を実装するための機器を用いて実現される。
【００２１】
別の目的もまた、従属請求項の追加的な特徴によっても得ることができる。
【００２２】
本発明の別の特徴は、特許請求項に従い、好ましい実施形態の以下の説明によってより強調され、非限定例としてのみ添付図中に例示される。
【図面の簡単な説明】
【００２３】
【図１】本発明の例示変形例による手順の開始要素を表すＱＲコード（登録商標）を示す。
【図２】本発明の第１の例示変形例による、ＱＲコード（登録商標）を対象要素上に複製するための手段のステップを示す。より正確には、以下に詳細を明記する。対象要素を収容する（物理的または仮想）空間を示し、その上に図１のＱＲコード（登録商標）が複製されてもよい。
【図３】本発明の第１の例示変形例による、ＱＲコード（登録商標）を対象要素上に複製するための手段のステップを示す。ＱＲコード（登録商標）を対象要素上に再構築／再処理する中間ステップを例示する。
【図４】本発明の第１の例示変形例による、ＱＲコード（登録商標）を対象要素上に複製するための手段のステップを示す。ＱＲコード（登録商標）を対象要素上に再構築／再処理する中間ステップを例示する。
【図５】本発明の第１の例示変形例による、ＱＲコード（登録商標）を対象要素上に複製するための手段のステップを示す。ＱＲコード（登録商標）を対象要素上に再構築／再処理する中間ステップを例示する。
【図６】本発明の第１の例示変形例による、ＱＲコード（登録商標）を対象要素上に複製するための手段のステップを示す。対象要素を示し、その上にＱＲコード（登録商標）が複製され、図２の空間に配置される。
【図７】本発明の第２の例示変形例による、ＱＲコード（登録商標）を対象要素上に複製するための手段のステップを示す。より正確には、以下に詳細を明記する。本発明の第２の例示変形例による、手順の開始要素を表すＱＲコード（登録商標）を示す。
【図８ａ】本発明の第２の例示変形例による、ＱＲコード（登録商標）を対象要素上に複製するための手段のステップを示す。図７のＱＲコード（登録商標）を複製するための中間要素を示す。
【図８ｂ】本発明の第２の例示変形例による、ＱＲコード（登録商標）を対象要素上に複製するための手段のステップを示す。図７のＱＲコード（登録商標）を複製するための中間要素を示す。
【図９】本発明の第２の例示変形例による、ＱＲコード（登録商標）を対象要素上に複製するための手段のステップを示す。その上にＱＲコード（登録商標）が複製される対象要素を収容する（物理的）空間を示す。
【図１０】本発明の第２の例示変形例による、ＱＲコード（登録商標）を対象要素上に複製するための手段のステップを示す。図８ａまたは８ｂの中間要素によって、対象要素上にＱＲコード（登録商標）を再構築／再処理する手順の中間ステップを例示する。
【図１１】本発明の第２の例示変形例による、ＱＲコード（登録商標）を対象要素上に複製するための手段のステップを示す。図８ａまたは８ｂの中間要素によって、対象要素上にＱＲコード（登録商標）を再構築／再処理する手順の中間ステップを例示する。
【図１２】本発明の第２の例示変形例による、ＱＲコード（登録商標）を対象要素上に複製するための手段のステップを示す。図８ａまたは８ｂの中間要素によって、対象要素上にＱＲコード（登録商標）を再構築／再処理する手順の中間ステップを例示する。
【図１３】本発明の第２の例示変形例による、ＱＲコード（登録商標）を対象要素上に複製するための手段のステップを示す。その上にＱＲコード（登録商標）が複製され、図７の空間に配置される対象要素を示す。
【発明を実施するための形態】
【００２４】
図中の符号を用いて本発明の特徴をここに記載する。前述の図は概略的ではあるが、手順の様々なステップおよびシステムの構成部品を寸法および空間的配置に比例して再現する。これらのステップおよび部品は、同一の図で示す変形の実行可能な実施形態に適合していることを理解されたい。任意の寸法および空間用語（「下部」、「上部」、「内側」、「外側」、「正面」、「背面」など）は、システムの要素が添付図に示される位置を指すが、可能性のある操作条件に関して限定を意図するものではないことも理解されたい。
【００２５】
以下、用語「暗号化対象物」は、ＱＲコード（登録商標）がその上に複製される対象要素を指す。次に、「対象要素」とは、規定の空間的に画定可能な三次元展開を有する要素の任意の（物理的または仮想）表示を備える。
【００２６】
より具体的には、本発明による「暗号化対象物」は、仮想画像および物理的対象物の両方によって表現されてもよく、物理的対象物は、暗号化対象物を直接構成する要素および暗号化対象物を次に生成するための予備となる要素の両方を有する。この合成の定義は説明において詳細に解明する。好ましい実施形態によれば、暗号化対象物上にＱＲコード（登録商標）に複製する手順は連続ステップで構成され、以下に簡潔かつ段階的に説明する。
ａ）開始ＱＲコード（登録商標）の作成
ｂ）ＱＲコード（登録商標）を三次元空間に実装し、既知のディスプレイ装置で表示
ｃ）再構築または再処理を経て、ＱＲコード（登録商標）を三次元空間に配置された暗号化対象物上に複製
ｄ）最終暗号化対象物の取得
【００２７】
ここで、具体的に添付図に示す例示した変形例を参照して、上記のステップを１つずつ詳細に説明する。
【００２８】
ａ）ＱＲコード（登録商標）の作成、前述のように、図１において、符号１は典型的なＱＲコード（登録商標）を示す。ＱＲコード（登録商標）は作成者の所望する内容を暗号化し、ＱＲコード（登録商標）を生成する様々なフリーソフトウェアのうちの１つで作成された。
【００２９】
ＱＲコード（登録商標）１は、標準的なＱＲコード（登録商標）のすべての特性を有する。正方形の二次元マトリックス内において視覚的に分解でき、ＱＲコード（登録商標）に含有される情報の暗号化の結果である空間構成により、一連の黒いモジュールが白い背景上に配置される。
【００３０】
結論として、ＱＲコード（登録商標）を特徴づけているのは、黒いモジュールおよび白い背景の空間の連続である（以下、単に「黒いコードＮ」および「白いコードＢ」と称する）。したがって、ＱＲコード（登録商標）に含有される情報は新規の一意のマトリックスを実現し、これは異なる情報を暗号化することによっては実現できないこともある。つまり、各暗号化情報は、黒いコードＮおよび白いコードＢの単一のおよび固有のマトリックスを製作し、また、逆の場合も同様に、各ＱＲコード（登録商標）は単一および一意の情報を復号する。
【００３１】
代わりに、各生成されたＱＲコード（登録商標）に共通なのは、３つの大きな位置決め正方形であり、マトリックスの角に配置される。符号ＮＱ１、ＮＱ２およびＮＱ３を用いて、黒いコードＮの３つの位置決め正方形を示す。それぞれが、外部の区切り枠を備え、その内部に正方形が配置される。
【００３２】
これらの正方形により、前述の先行文献である特許文献２に記載の読み取り手順によって、読み取りスキャナによるＱＲコード（登録商標）の配置および配向の認識が可能となる機能が実際に実行される。
【００３３】
実際に、スキャン用ソフトウェアによってＱＲコード（登録商標）を訂正可能なため、位置決め正方形の外側の区切り枠が部分的に損失または損傷している場合であっても、マトリックスの正確な解釈を得ることが可能であることが実証されている。これは、後で説明する規定の最小要件の性能であると理解される。
【００３４】
前述の可能性は、本特許の手順の実装において、具体的には、ＱＲコード（登録商標）１を暗号化対象物上に複製するステップにおいて、現実的に関連性のある特徴を有する。
【００３５】
ｂ）ＱＲコード（登録商標）の三次元空間での実装、ＱＲコード（登録商標）１が生成されると、既知のディスプレイ装置によって、たとえば、モニタ（アナログ、デジタル、二次元または三次元）、投影（アナログ、デジタルまたはホログラム）または別の光学ディスプレイによって画面に表示される。
【００３６】
同一のディスプレイ装置を用いて、画面上で三次元空間も示され、ＱＲコード（登録商標）１および最終暗号化対象物を受領することを目的とする。三次元空間（「Ｓ３Ｄ」とも称する）は映像写真装置によって、ライブで継続して、または以前に撮影された実際の環境の代表的な画像からなっていてもよい。または代替として、２Ｄ画像または３Ｄ環境を処理する情報装置によって以前に生成された仮想環境からなっていてもよい。
【００３７】
図２の例では、符号２で示す三次元空間は、実質的に明るい色の壁および床面の空間からなる。
【００３８】
任意のマルチレベル画像処理ソフトウェアによって、ＱＲコード（登録商標）１は三次元空間２の代表的な画像に適用され、図３に示すように、適切に黒いコードＮのコントラストレベルの調整を受け、白いコードＢの除去操作を受ける。
【００３９】
図示する例では、三次元空間２は実質的に何もない空間を表すので、ＱＲコード（登録商標）１の配置は、その任意の区域にユーザの裁量で実行されてもよい。
【００４０】
一方、三次元空間が規定の点に空間的に配置される（現実または仮想の）要素を備える環境である場合は、１または複数の要素が、少なくとも部分的に、ＱＲコード（登録商標）１の黒いコードＮまたは白いコードＢの１または複数の部分と一致するように、ＱＲコード（登録商標）１を特定の区域に配置することが適切であることもある。
【００４１】
ただし、以下で説明するように、本発明の手順および機器によって提供される手動またはデジタル再処理および再配置の可能性が大きいため、コリメーションの要件は絶対に必要なわけではない。
【００４２】
ＱＲコード（登録商標）１のコントラスト（および／または必要な場合は、三次元空間２の同一の画像）の調整行為およびＱＲコード（登録商標）１の白いコードＢの除去は、暗号化対象物（ＯＣ）を得るために三次元空間２におけるコードの再構築と再処理のステップを容易にすること目的としている。
【００４３】
同じ理由から、ＱＲコード（登録商標）１の黒いコードＮの透明度に変化を設けることが望ましいこともある。これは、ＱＲコード（登録商標）１の配置レベルの下部で、三次元空間２の一部を可視にするためである（図４参照）。
【００４４】
ｃ）ＱＲコード（登録商標）を暗号化対象物上に複製、図４および５は、暗号化対象物（以下、短縮して「ＯＣ」と称する）を得るために、ＱＲコード（登録商標）１を三次元空間２で再構築および／または再処理することによって、ＱＲコード（登録商標）１を複製するための手順のステップを示す。
【００４５】
前述の通り、読み取りおよび復号ソフトウェアに固有であるＱＲコード（登録商標）の誤り認識および訂正能力は、誤ったまたは損傷したコードの約３０％までであるため、黒いコードＮの修正はある程度可能である。３つの位置決め正方形ＮＱ１、ＮＱ２およびＮＱ３に対応する黒いコードＮ部分では、読み取りソフトウェアによるＱＲコード（登録商標）１の配置および配向の認識に影響を与えずに、コードのさらに多い割合を除去することさえ可能である。
【００４６】
その代わり、右上の位置決め正方形ＮＱ１下部の垂直線のＱＲコード（登録商標）の１部分を操作することは推奨されない。この部分は、コードおよびその配向を正確に認識するための基礎的な情報を含有するためである。
【００４７】
図４は、ＱＲコード（登録商標）１マトリックスの左下の角に位置する位置決め正方形ＮＱ３の外側区切り枠の黒いコードＮ部分を除去した例を示す。その機能を維持するために、位置決め正方形ＮＱ３の縦方向および横方向の対称軸の４つの正方形ＮＱ３Ｑが残るだけで十分である。
【００４８】
このＱＲコード（登録商標）１の正確な復号を損なわずに、（すでにたびたび言及した自動誤り訂正システムに関連する）黒いコードＮの部分を除去する可能性から、ＯＣを得る目的で、ＱＲコード（登録商標）１の再構築および複製におけるユーザの自由度は顕著に増加する。
【００４９】
実際には、本発明の手順は、ＱＲコード（登録商標）１の規定の黒いコードＮおよび白いコードＢ部分に置き換える特定の形状および色の特徴を有する、適切な三次元要素の選択および配置へと続く。
【００５０】
図５に示す例は、言及したばかりの例を説明する機能を果たす。図５において、位置決め正方形ＮＱ１（マトリックスの右上の）は、オリジナルの黒いコードＮの正方形に匹敵する形状、寸法および色を有するテレビ画面の画像によって置換される。
【００５１】
同じことが、別の黒いコードＮおよび白いコードＢ部分に置換するために配置される、三次元要素に対しても適用される。この三次元要素は、黒いコードＮおよび白いコードＢ部分に形状、寸法および色が実質的に類似する（または、つまり、以下説明するように、ＱＲコード（登録商標）１の復号という点から、黒いコードＮおよび白いコードＢ部分と互換性がある）。
【００５２】
このように、肘掛け椅子Ｅ３を位置決め正方形ＮＱ３の代わりに配置することができる。その三次元画像がオリジナルの位置決め正方形の三次元画像に実質的および予測的に対応しなければならないことを考慮し、座面の色は黒くなければならず、またはいかなる場合においても、スキャン用ソフトウェアが黒いコードＮの部分であると認識するように十分に暗くなくてはならないことを考慮する。
【００５３】
同様に、肘掛け椅子の脚は厚みが少ないか、またはＯＣ上で複製されるＱＲコード（登録商標）１の次の復号ステップで白いコードＢの部分と認識されるほど十分に明るくなくてはならない。
【００５４】
位置決め正方形ＮＱ２（マトリックスの左上）に対応して、黒いコードＮの正方形が絵のキャンバスに対応する要素Ｅ２．１によって置換される。
【００５５】
符号Ｅ４は白いシャンデリア（またはいかなる場合においても、ＱＲコード（登録商標）読み取りスキャナによって白いコードＢの部分と認識されるほど十分に明るい）を示す。シャンデリアは三次元空間２を表す部屋の天井からぶら下がり、ＱＲコード（登録商標）１の白いコードＢの部分に配置される。
【００５６】
ＱＲコード（登録商標）１を複製する手順は、黒いコードＮおよび白いコードＢの部分が完全に他の三次元要素Ｅ１、Ｅ２、．．．ＥＮによって置換されるまで継続されてもよい。たとえば、三次元空間２と適合する他の要素は、家具、棚、装備品、花瓶などからなり、黒いコードＮおよび白いコードＢの代わりとして配置されるような形状、寸法および色である。
【００５７】
代替として、オリジナルのＱＲコード（登録商標）１を完全に置換する前に、三次元要素Ｅ１、Ｅ２、．．．ＥＮの一部割り当てステップの後に、再構築および再処理手順を停止してもよい。選択はユーザの裁量、意思および想像力による。
【００５８】
前述した黒いコードＮ部分の形式上の許容差の可能性および、その結果として、その代わりに配置される三次元要素Ｅ１、Ｅ２、．．．ＥＮの形式上の許容差の可能性によって、ＱＲコード（登録商標）１の再処理における裁量はさらに増加する。
【００５９】
したがって、置換される黒いコードＮ部分と正確には一致しない形状を有する三次元要素Ｅ１、Ｅ２、．．．ＥＮを用いることも可能である。たとえば、球形または曲線の要素を有する三次元要素も、正確に割り当てられれば、その変形がスキャナがＱＲコード（登録商標）を復号できる誤り認識の割合の範囲内である場合、いかなる場合においても正確なコードとして認識される。
【００６０】
前述のように、適切な三次元要素Ｅ１、Ｅ２、．．．ＥＮを備えるＱＲコード（登録商標）１の二次元コード部分を置換することによってＱＲコード（登録商標）１を三次元空間２に複製する手段は、各置換の次には、マルチレベル画像処理ソフトウェアによって、ユーザが確認の上、手動または半自動除去によって、置換されたコード部分を除去するステップがくると想定される。
【００６１】
ただし、この操作は、ＱＲコード（登録商標）１部分を置換する三次元要素を（形状、寸法および色によって）、置換されたオリジナルのＱＲコード（登録商標）１部分によって本来実行される機能と同一の復号機能を実行するために適切であると、有効に認識されることを検証するために、継続する制御ステップに関連づけられる。
【００６２】
この検証は、追加のソフトウェアをマルチレベル画像処理ソフトウェアに関連させることを含むシステムによって実行される。この追加のソフトウェアは、ＱＲコード（登録商標）読み取りスキャナからなり、その繰り返し操作によって、本来のＱＲコード（登録商標）１部分の代わりに三次元要素Ｅ１、Ｅ２、．．．ＥＮが正確に配置されているかを継続してチェックすることができる。したがって、三次元要素Ｅ１、Ｅ２、．．．ＥＮがＱＲコード（登録商標）１の二次元コードの部分に置換されるときは常に、スキャナは部分的なＯＣ（その上にＱＲコード（登録商標）１が再構築／再処理によって複製される）が開始ＱＲコード（登録商標）１に当初暗号化された情報を正確に復号できるかを確認する。
【００６３】
この継続した検証によって肯定的な結果が得られる場合は、三次元要素Ｅ１、Ｅ２、．．．ＥＮで置換することは、本来のＱＲコード（登録商標）１の同一の内容を復号するために適切であることを確信して、ＱＲコード（登録商標）１マトリックスの黒いコードＮまたは白いコードＢの除去を進めることができる。
【００６４】
代わりに、その他の方法では、置換されたＱＲコード（登録商標）１部分の除去ステップは実行されない。なぜなら、置換される黒いコードＮまたは白いコードＢ部分とは、形状、寸法または色が異なる、または大局的に、三次元空間２に不正確に配置されていることから、使用される三次元要素Ｅ１、Ｅ２、．．．ＥＮは本来のＱＲコード（登録商標）１の同一の内容を復号するために不適切であると判明するためである。
【００６５】
したがって、この第２の事例では、ＱＲコード（登録商標）１部分を、不適切であると判明した三次元要素Ｅ１、Ｅ２、．．．ＥＮと置換する前のステップまで手順を戻す必要がある（使用している画像処理ソフトウェアおよびほとんどすべての既知のソフトウェアによって操作可能である）。これは、新規の三次元要素Ｅ１、Ｅ２、．．．ＥＮを用いて、読み取りスキャナによる適切性チェックに進むためである。
【００６６】
実際に、配置される三次元要素が、同一の誤り許容範囲を超えているため、スキャナの誤り訂正システムではそのような違いを補償するためには十分でないほど、置換されるＱＲコード（登録商標）１部分と（形状、寸法および色が）あまりにも異なることもありえる。この場合は、ユーザは、オリジナルのコードにより類似すると判明した異なる三次元要素Ｅ１、Ｅ２、．．．ＥＮを用いて、置換されるＱＲコード（登録商標）１部分と三次元要素との適合性を増加する必要があることを理解する。
【００６７】
この継続する制御ステップのおかげで、構築中のＯＣをステップごとに試験することができ、置換されるＱＲコード（登録商標）１の部分の代わりに三次元要素を選択または配置する際の誤りを直ちに認識することができる。
【００６８】
図５の例では要素Ｅ２．２は、キャンバス枠Ｅ２．１を表し、位置決め正方形ＮＱ２の外側枠に代わるものとして配置される。要素Ｅ２．２はスキャナによって、ＱＲコード（登録商標）１の同一の内容を復号しているとして認識される適切な要素ではない。要素Ｅ２．２の厚さが、本来の黒いコードＮ部分に比べてはるかに薄いためである。
【００６９】
したがって、異なる三次元要素Ｅ１、Ｅ２、．．．ＥＮを用いるか、または当初用いた要素Ｅ２．２を厚くすることが必要である。それによって、制御システムは読み取りスキャナによって、置換操作の許可を出す。スキャナとシステムとの接続は複数の方法によって得ることができる。たとえば、スキャナカメラを三次元空間、ＱＲコード（登録商標）１およびＯＣを表示する画面に向けて配置することが可能である。または、可視性および操作の便利さを改善するために、第２の映像出力を用いて、第２の画面に内容を迂回して示し、その正面に、読み取りスキャナを配置することが可能である。
【００７０】
共通のＱＲコード（登録商標）スキャナはすでに、焦点合わせ、および軽い自己調整システムを有しているため、読み取りスキャナが画面に示される（前述したように本来のまたは修正された）ＱＲコード（登録商標）１を識別し、復号することになんの問題もない。
【００７１】
ただし、実証的試験によって、スキャナを一般に、画面上に表示される検出対称のＱＲコード（登録商標）の寸法の二倍の距離に配置することが好ましいことが実証されている。業界で利用可能な様々なスキャン用ソフトウェアの中でＱＲコード（登録商標）の周囲検出の変動が大きいため、読み取りシステムの全機能を得るために、予備的な配置操作を実行し、スキャナの第１の配置中に、手動による視覚調整を実行することも望ましい。
【００７２】
ｄ）最終暗号化対象物の取得
図６の例は、三次元空間２の最初のＱＲコード（登録商標）１の再構築／再処理の手順から得られるＯＣ３を示す。
【００７３】
実際に、図６は、最終ＯＣ３を取得する際の部分的な進行を示すが、前述のように、ＱＲコード（登録商標）１の複製はまた、オリジナルのＱＲコード（登録商標）１を完全に置換する前に三次元要素Ｅ１、Ｅ２、．．．ＥＮの一部の割り当てステップの後に停止してもよい。
【００７４】
取得されたＯＣ３は、ＱＲコード（登録商標）１とは外部の形状はとても異なり、人間の目では事実上認識できないが、スキャナにより読み取られ、開始ＱＲコード（登録商標）１に含有される正確に同一の情報を復号する。
【００７５】
添付図に示す例の結果として生じるＯＣ３は、仮想画像からなり、仮想画像は純粋に仮想要素の割り当てからなる。
【００７６】
それにもかかわらず、同一の手順を実施して、実際に存在する１つの三次元空間２内に物理的要素を正確に配置することによって、ＯＣ３を得てもよい。関連するＱＲコード（登録商標）１部分の代わりの三次元要素Ｅ１、Ｅ２、．．．ＥＮの配置は、画面上の画像処理ソフトウェアによっては行われず（または、少なくとも画面上の画像処理ソフトウェアだけでは行われず）、三次元空間２で実際に使用可能な要素の物理的移動および素材調整によって行われる。
【００７７】
この場合には、実際に、ＯＣ３は、適切に設定され、ＱＲコード（登録商標）読み取りスキャナによって直接復号可能な実際の三次元環境からなる。
【００７８】
本発明の変形によれば、前述の手順によって、中間ＯＣ３’が生成される可能性もある。中間ＯＣ３’は本質的にすでにＱＲコード（登録商標）読み取りスキャナによって復号可能であるが、本当に存在するまたは実際に構築可能な三次元要素を用いた再構築操作によって、最終ＯＣ３を作成するための成形マスクとして用いられてもよい。
【００７９】
より具体的には、この成形マスクは、得られる最終ＯＣ３に適切な寸法を有する物理的目的物に転換した後は、ＯＣ３の後続する素材実現のテンプレートとして機能する。また、開始ＱＲコード（登録商標）１に最初に含有される正確な情報を復号する。
【００８０】
成形マスクをテンプレートとして使用可能な物理的目的物とすることは、前述のシステムと、活版印刷（凹版も）、三次元印刷（加法製法によっても）、迅速なプロトタイピングそしてシンタリングのための機知の機器との関連によって実行されてもよい。代替として、このテンプレートは、手動または工業的操作によって物質的に構築されてもよい。
【００８１】
この中間ＯＣ３’を表すテンプレートを備える実施形態の変形の有利な点は、有形の物質性の特性および経時の再利用性にある。つまり、すべてが開始ＱＲコード（登録商標）１と同一の内容を復号するＯＣ３を大量生産するために、連続して繰り返し最終ＯＣ３が得られるように用いられる。
【００８２】
前述の手順のステップには変化がないものの、三次元空間２に適用される開始ＱＲコード（登録商標）１が操作を受けにくいとき、この実施形態変形の結果として生じる最終ＯＣ３の正確な復号性可能性は可能な限り確保されることは明らかである。つまり、中間ＯＣ３’（このテンプレートによって表される）は開始ＱＲコード（登録商標）１にさらに類似することは明らかである。
【００８３】
これらの理由から、この具体的な変形において、中間ＯＣ３’を複製する手順は、開始ＱＲコード（登録商標）１の二次元マトリックスの一部の修正操作のみを行った後、または三次元要素を黒いコードＮまたは白いコードＢとわずかに置換した後に、最初のステップ中に停止してもよい。または開始ＱＲコード（登録商標）１を三次元空間２に実行するステップの終わりに停止してさえもよい。それによって、最終ＯＣ３の後続する物理的実現のための成形マスクを獲得する手順に直ちに進む。
【００８４】
図７から１３は時系列的に本発明の変形の様々なステップを示す。図中、中間ＯＣ３’を用いて最終ＯＣ３を得る。
【００８５】
変わらないのは、前述の手続きのステップであり、図１から６に示す。以下、特色のある要素のみに焦点を当てれば十分である。
【００８６】
開始ステップは、やはり、所望する内容を暗号化する、ＱＲコード（登録商標）１の作成からなる（図７）。
【００８７】
続いて、三次元空間２のＱＲコード（登録商標）１の実行ステップおよび複製ステップがその再構築および／または再処理によって実行され、中間ＯＣ３’を得る。中間ＯＣ３’は、適切な印刷または製造過程を経て、物質的にテンプレートからなり、最終ＯＣ３を作成するために成形マスクとして機能する。
【００８８】
特定の事例では、中間ＯＣ３’は図８ａおよび８ｂに示され、物理的にグリッドによって表される。グリッドは一連のセルを備え、適切に空白として残され（空白のセル）または閉鎖され（フルセル）、開始ＱＲコード（登録商標）１の二次元マトリックスを複製し、ＱＲコード（登録商標）１の白いコードＢおよび黒いコードＮ部分を識別する。
【００８９】
結論として、例示する変形の中間ＯＣ３’は、三次元空間２の開始ＱＲコード（登録商標）１の実行ステップの終了後直ちに得られたが、明らかにグリッドＯＣ３’はまた、常に前述の手順にしたがい、黒いコードＮおよび白いコードＢ部分の代わりに三次元要素Ｅ１、Ｅ２、．．．ＥＮを割り当てる一部のステップ後に部分的に再構築／再処理された、ＱＲコード（登録商標）１を表していてもよい。テンプレート（つまり中間ＯＣ３’）の実現が物質的に実行されると、最終ＯＣ３の実際の作成に用いることができる。この最終ＯＣ３の有形の作成は、中間ＯＣ３’を成形マスクとして用いて、三次元要素Ｅ１、Ｅ２、．．．ＥＮを正確に配置するために実行してもよい。三次元要素Ｅ１、Ｅ２、．．．ＥＮは、黒いコードＮおよび白いコードＢを、既知の手動または半自動割り当て技法によって、基板となる三次元空間２上に再生するために適切である。
【００９０】
図８ａは、中間ＯＣ３’の変形を示す。空白のグリッドセルは黒いコードＮを識別し、閉鎖されたセルはＱＲコード（登録商標）１の白いコードＢを識別する。
【００９１】
その場合には、実際に、中間ＯＣ３’は本物のテンプレートとして機能し、三次元空間２上に黒いコードＮを正確に複製するために適切な三次元要素を配置するようにユーザを誘導する。用いることができる技法が最も異なるところであり、たとえば、三次元要素の重心の位置決め、またはスプレーまたはブラシペイントによる複製により、グリッドＯＣ３’上に空白として残されるセルを常に用いる。
【００９２】
このように取得した中間ＯＣ３’では、三次元空間２は、白または実質的に明るい色の表面を備える要素であることが好ましいことは明らかである。それによって、本来白いコードＢとして機能し、白いコードＢ上には黒いコードＮ部分の代わりに三次元要素が配置される。ただし、中間ＯＣ３’および前述の技法を用いて黒いコードＮを復号するための三次元要素が配置されると、白いコードＢ部分が三次元空間２上に直接、差異または再処理によって再生されてもよいことは何物にも妨害されない。
【００９３】
逆も同様であり、中間ＯＣ３’がテンプレートからなる場合は、そのグリッドは空白として残され、白いコードＢを識別するセルを有し、閉鎖したセルは黒いコードＮを識別する（図８ｂの例に示す）。ＯＣ３’と共に用いると、ＱＲコード（登録商標）１の白いコードＢ部分は再生されるため、三次元空間２は暗い表面を備えた要素であることが好ましい。
【００９４】
中間ＯＣ３’にどれを用いる場合であっても、次の制御および検証ステップ（前述のスキャナ読み取りシステムによる）を適用する可能性は残る。ＱＲコード（登録商標）１部分を置換する三次元要素は、適切であるとして有効に認識され（形状、寸法および色によって）、置換されたオリジナルのＱＲコード（登録商標）１部分によって本来実行されるのと同一の復号機能を実行することを確認するためである。
【００９５】
それにもかかわらず、継続する制御ステップもまた重複するものであってもよく、所望する復号の実現の単なる評価をするという唯一の追加機能を有していてもよいことに留意されたい。なぜなら、最終ＯＣ３の再生はいかなる場合においても中間ＯＣ３’の助けを得て実施されるからである。中間ＯＣ３’はすでに、成功裏に検証ステップに合格しており、開始ＱＲコード（登録商標）１の同一の内容を正確に復号することはすでに確実であるためである。
【００９６】
ただし、最終ＯＣ３の対象物の三次元要素が特に変動可能であり、偶発的な特性を有する（たとえば料理部門）場合は、正確な中間ＯＣ３’の使用にもかかわらず、不確実または不正確な復号が生じることもある。その次に、常に本発明の手順およびシステムにしたがって、ＱＲコード（登録商標）１を三次元空間２上に複製中に、継続する制御ステップの複製に進むことは可能である。
【００９７】
図９から１３は、ＱＲコード（登録商標）１を複製するための手順のステップを示す。中間ＯＣ３’を用いて、かつＱＲコード（登録商標）読み取りスキャナを備えるシステムによって可能となる継続制御のおかげで、三次元空間２にＱＲコード（登録商標）１を再構築および／または再処理する。
【００９８】
具体的には、中間ＯＣ３’は図８ｂに示すテンプレートからなり、三次元空間２はピザ生地によって表され（図９）、その上にＯＣ３’が実装される（図１０）。
【００９９】
ユーザは、適切な三次元要素Ｅ１、Ｅ２、．．．ＥＮの選択および配置を提供する。三次元要素Ｅ１、Ｅ２、．．．ＥＮは、図に示す場合は常に特定の符号で表し、中間ＯＣ３’の黒いコードＮ部分（本明細書ではテンプレートグリッドの閉鎖したセルとして表す）に置き換わる。黒いコードＮ部分は、その後、スキャナが三次元要素を最初のＱＲコード（登録商標）１を復号するために適切であると認識する場合には除去可能である。
【０１００】
中間ＯＣ３’の具体的な重要性に関しては、「置換された黒いコードＮ部分の除去」は、グリッドの閉鎖したセルが物理的に空白のセルに転換されることを意味する。それによって、テンプレートはもう一度三次元空間２を示してもよく、スキャナは構築中のＯＣ３を読み取り、その正確な復号可能性を検証できる。
【０１０１】
そのためには、テンプレートＯＣ３’がグリッドからなる具体的な変形では、変動可能に空白として残されてもよく、または閉鎖されてもよいことが考察されることは明らかである。それによって、複数の開始ＱＲ１を複製する連続した空白および閉鎖したセルにしたがって、単一のグリッドは複数のテンプレートＯＣ３’を複製する支持素材として機能可能となる。
【０１０２】
図１１は位置決め正方形ＮＱ１が、一対のオリーブＥ１．２およびムール貝Ｅ１．１によって三次元空間２に再構築される方法を示す。図１２において、この三次元要素Ｅ１．１が１枚のサラミＥ１．１’によって置換されたことが分かる。スキャナによる検証によって、ムール貝Ｅ１．１が黒いコードＮ部分に置換するには不適切であると検出されたためである。サラミＥ１．１’は、その代わりに、ＱＲ１の同一の内容を復号するのに適切な三次元要素として有効に認識される。
【０１０３】
対象三次元空間２上に中間ＯＣ３’で示される開始ＱＲコード（登録商標）１の再構築手順およびそのおかげで、最終ＯＣ３を得るところまで継続することができる。この事例では、最終ＯＣ３は図１３に示すピザで表される。三次元要素として機能するのに適切な成分で飾られ、開始ＱＲコード（登録商標）１のそれぞれの部分と置換する。複製手順の最初に設定される特定の予想傾向にしたがってスキャナに読み取られると、最終ＯＣ３はＱＲコード（登録商標）１に含有される同一の情報を正確に復号する。
【０１０４】
実現可能な目的および有利点は前述した手順および機器の説明から明確に分かるであろう。
【０１０５】
本発明は開始ＱＲコード（登録商標）１を表す図形の物理的な二次元の限界を超え、物理的および仮想両方の膨大な三次元の展開まで広がる。それによって、ＯＣ３クリエータの芸術的な創造性および創造によってのみ制限される無限の変形が可能となる。
【０１０６】
本発明の手順、システム、および目的によって、三次元環境の一部の種類を容易に複製できる。この三次元環境は、非常に様々な性質の特定の目的として認識されることもあり、芸術的な造形、料理、機械、建物、建築、などの種類を含む。本発明を用いると、実際に、用いられている投影の傾向から一目では人間の目には気付かないとしても、正しい不当角な読み取り投影（つまり、ＱＲコード（登録商標）１が三次元空間２に実装されたのと同一の投影）が与えられれば、ＱＲコード（登録商標）スキャナによって正確に復号可能なＯＣ３を得ることが可能である。
【０１０７】
つまり、ＯＣ３は三次元要素において具体化することができる。三次元要素は開始ＱＲコード（登録商標）１とは視覚的に異なる。そのため、人間の目では、同じであると容易には識別できない。ただし間違いなく、三次元空間２での実装に用いた適切なパラメータにしたがって（つまり、距離、深さおよび不当角投影に関して同一の基準を用いて）読み取られると、ＱＲ１に含有されるのと同一の情報を復号することができる。
【０１０８】
これによって、物理的または仮想環境において非常に様々な内容を復号するＯＣ３を作成することができる。この内容には、擬態メッセージ、驚くような広告スポット、視覚および画像、彫刻およびその他の性質のものに関する視覚およびマルチメディアメタワークから広告図面などが含まれる。
【０１０９】
容易に人間の目では認識されないという、開始ＱＲコード（登録商標）１を含有するＯＣ３の特権は、ＯＣ３とＱＲ１との間には、顕著な見た目の違いがあるという可能性によって、さらに拡大される。見た目の違いは、他のものと容易に関連づけることができないという点まで異なる（人間の目がそこからコードを識別可能な場合であっても容易に関連づけられないが、これはまったく起こりうるとは思えないものの、明らかに可能性はある）。
【０１１０】
より正確には、本発明に記載するＯＣ３を得るためにＱＲ１を複製する手順およびスキャン用ソフトウェアの訂正能力のおかげで、ＯＣ３はコード部分の一定の割合がなくても、特に、位置決め正方形ＮＱ１、ＮＱ２およびＮＱ３に対応する区域の一定の割合がなくても問題はない（その外部の枠は縦方向および横方向の対称点も限定する）。そのため、ＯＣ３は開始ＱＲコード（登録商標）１とは大きく異なる。ここで、再度留意されたい。視覚の差異は一重に開始ＱＲ１に対するＯＣ３の外側の形状に関連し、ＯＣ３がそれでも開始ＱＲ１が含有する情報と同じ情報を復号するという基本的な特性は影響を受けないままである。
【０１１１】
前述のＱＲコード（登録商標）１をＯＣ３上で複製する手順およびシステムの複数の変形は、本発明の独創的発想の新規の範囲から逸脱せずに芸術の技術を備えた人には可能であることは明らかである。また、本発明の現実的な実施形態では、前述の様々な部品は技術的に同等の部品と置換されてもよいことは明らかである。たとえば、前述の変形を示す際に、ＱＲコード（登録商標）１を三次元空間２に再処理／再構築してＯＣ３を得ることを常に参照される。これは、手動または半自動操作によって、つまり、三次元要素Ｅ１、Ｅ２、．．．ＥＮを正確に視点配置することによって行われる。これは、実際の設定環境で物理的対象物を実際に移動して行うか、または無形の対象物を仮想環境で画像処理ソフトウェアによって移動して行う。
【０１１２】
ただし、完全に自動な変形が提供されてもよい。同一の画像処理ソフトウェアは、置換されるＱＲコード（登録商標）１部分と置換するためにより適切な三次元要素Ｅ１、Ｅ２、．．．ＥＮを管理、作成および／または選択するソフトウェアに関連してもよい。これは、常に前述の形状、寸法および色の適合性基準にしたがって行われる。または完全に自動な変形も適切な追加のソフトウェアによって可能である。追加のソフトウェアは、ロボットの留め具、または類似する機器を指示して、三次元要素を選択して三次元空間２に正確に配置する。
【０１１３】
開始ＱＲコード（登録商標）１の二次元マトリックスの規定の黒いコードＮまたは白いコードＢの部分を置換する三次元要素の色要件を参照して、色は必ずしも白または黒でなくてもよく、スキャン用ソフトウェアによって、単に黒いコードＮまたは白いコードＢの２つの範疇に分類可能であればよいことが強調されるべきである。
【０１１４】
そのため、広範囲な色度を有する（実際のまたは仮想）三次元要素、たとえば（実際の三次元要素に適用する）塗料などを用いることは可能であろう。この塗料は、紫外線に反応し、または人間の目にも不可視であってもよい周波数スペクトルに反応し、自己蛍光特性を強調し、または適切な周波数の天然または人工の光を用いる場合と時間を明らかにするために適切である。基礎的な原理は、三次元要素Ｅ１、Ｅ２、．．．ＥＮの色は白または黒とスキャナによって解釈されることである。（つまり、１つの色の範囲が「白」と解釈される一方、他の範囲は「黒」と判断される）。また、三次元成分はＱＲコード（登録商標）１のそれぞれの黒いコードＮおよび白いコードＢの部分の置換として正確に割り当てられ、すべての確認は前述の手順およびシステムによって実行される。
【０１１５】
中間ＯＣ３’の機能を有して、最終ＯＣ３を作成するためにテンプレートが用いられる変形では、テンプレートは、凹版活版印刷技術にしたがってカッティングプロッタによって事前に印刷された紙で提供されてもよい。
【０１１６】
この場合には、中間ＯＣ３’は直接三次元空間２に貼り付け、または並列されてもよく、そのダイカットは、ＱＲコード（登録商標）１の白いコードＢまたは黒いコードＮそれぞれの部分の代わりに、正確な三次元要素が配置されてもよい区域として機能する（塗装、手動検出、重心の位置決め、ブラシペイントまたはスプレー塗布など、前述の多数の異なる技法を用いる）。
【０１１７】
ＱＲコード（登録商標）１の複製が実行されると、中間ＯＣ３’は、すでに複製された関連のある部分に対して次第に除去される。ただし、用いられた三次元要素がスキャナによる検証試験に首尾よく合格した場合に限る。
【０１１８】
中間ＯＣ３’のさらなる変形は、テンプレートを三次元空間２に投影することによって表されてもよい（または、三次元空間２が布、カーテン、半透明ガラス、プレキシグラス、様々な布、一定の程度透明な通常の素材からなる場合には背景投影。または、三次元空間２の寸法が非常に小さい場合には顕微鏡投影）。ＯＣ３’は常にテンプレートとして機能し、前述の既知の技法によって、オリジナルのＱＲコード（登録商標）１の様々な黒いコードＮおよび白いコードＢの部分が複製可能な物理的区域を示す。
【０１１９】
前述の変形では、テンプレートは最終ＯＣ３を得るための中間ＯＣ３’の機能を備えて使用されることを強調すべきである。ＯＣ３の寸法と実質的に類似する寸法を有するテンプレートを常に参照し、三次元空間２と近接して平行に位置するか、またはいかなる場合においても接近可能である。
【０１２０】
ただし、中間ＯＣ３’が三次元空間２に近付くのを防ぐ物理的な障害によって、このオプションが可能ではないこともありえる。したがって、光学および視点の共通の規則にしたがい、同一のテンプレートおよび白いコードＢおよび黒いコードＮの関連部分（つまり、添付図のグリッドの例では関連セル）の寸法を適切に縮小することによって、テンプレートを三次元空間２からかなり離して配置することが必要となる。それによって、中間ＯＣ３’は最終ＯＣ３を得るための適切な成形マスクとして機能する。
【０１２１】
同じことがスキャナおよび映像画像装置にも適用される。三次元空間２およびＯＣ３’の画面上の表示から離れて配置されなければならない。読み取りシステムの機能を完全に利用するために、これらの手段の配置および手動視覚調整の予備操作の必要性があると理解されている。
【図１】
0006421990.tif 000002
【図２】
0006421990.tif 000003
【図３】
0006421990.tif 000004
【図４】
0006421990.tif 000005
【図５】
0006421990.tif 000006
【図６】
0006421990.tif 000007
【図７】
0006421990.tif 000008
【図８ａ】
0006421990.tif 000009
【図８ｂ】
0006421990.tif 000010
【図９】
0006421990.tif 000011
【図１０】
0006421990.tif 000012
【図１１】
0006421990.tif 000013
【図１２】
0006421990.tif 000014
【図１３】
0006421990.tif 000015